(57)【要約】【課題】  本発明は、ＬＧＡチップモジュールが電気コネクタに取付けられた後、取外板を電気コネクタから自動的に取り外すことができ、且つ、作業の順序が簡略化し、コストが減る取外板を有した電気コネクタを提供することをその他の目的とする。【解決手段】  本発明の取外板を有した電気コネクタは、絶縁本体と、複数の絶縁本体内に配設される導電端子と、絶縁本体の周囲に組付けられる補強片と、押圧カバーと、作動アームとを備える。前記絶縁本体には導電部が設けられ、前記押圧カバーが枠体の構造であって、側辺と該側辺に囲まれる中空部とを備え、前記作動アームが補強片に回動可能に支持される。取外板が電気コネクタに組付けられ、絶縁本体を向く側の押圧カバーの中空部に対応する箇所に凸塊が突設され、該凸塊は電気コネクタに取付けられたＬＧＡチップモジュールに押されることで、取外板が自動に取り外される。【選択図】図５
2005174912.tif 000002
【特許請求の範囲】
【請求項１】
ＬＧＡチップモジュールと回路基板とを接続するために用いられる取外板を有した電気コネクタであって、
絶縁本体と、
前記絶縁本体内に装着される複数の導電端子と、
前記絶縁本体の周囲を取り囲む補強片と、
前記補強片に組付けられ、側辺と該側辺に囲まれる中空部とを備える枠体の構造である押圧カバーと、
前記補強片に閉鎖位置と該閉鎖位置から離反した開放位置との間で回動可能に支持される作動アームと
を含んで、前記取外板には、吸取平面が設けられ、同時に前記押圧カバーの中空部に対応する箇所に凸塊が突設され、前記押圧カバーが閉鎖される際に、該凸塊が前記中空部から突出してＬＧＡチップモジュールを押圧することを特徴とする取外板を有した電気コネクタ。
【請求項２】
前記電気コネクタに連接されるＬＧＡチップモジュールには、放熱プレートが設置され、前記押圧カバーが閉鎖される際に、前記取外板の凸塊が該放熱プレートを押圧することを特徴とする請求項１に記載の取外板を有した電気コネクタ。
【請求項３】
前記取外板の凸塊が一対であって、この一対の凸塊が前記押圧カバーの中空部に対応し、且つ前記取外板の端部に近寄る箇所に設けられることを特徴とする請求項２に記載の取外板を有した電気コネクタ。
【請求項４】
前記取外板の凸塊は、前記ＬＧＡチップモジュールの放熱プレートを押圧する接触部と傾斜部とを含んでいることを特徴とする請求項３に記載の取外板を有した電気コネクタ。
【請求項５】
前記取外板には、前記押圧カバーに係合される複数のフックが設けられることを特徴とする請求項４に記載の取外板を有した電気コネクタ。
【請求項６】
前記取外板の凸塊は、該取外板と一体に形成されることを特徴とする請求項５に記載の取外板を有した電気コネクタ。
【請求項７】
前記取外板の凸塊は弧形を呈することを特徴とする請求項６に記載の取外板を有した電気コネクタ。
【請求項８】
前記押圧カバーは、絶縁本体に向けて突設される一対の相対する側辺を備え、取外板において前記押圧カバーの相対する側辺に対応する箇所には、合わせブロックがそれぞれ設けられることを特徴とする請求項７に記載の取外板を有した電気コネクタ。
【請求項９】
ＬＧＡチップモジュールと回路基板とを接続するために用いられる取外板を有した電気コネクタであって、
複数の収容溝が設けられる絶縁本体と、
絶縁本体の前記収容溝に装着される複数の導電端子と、
前記絶縁本体の周囲を取り囲む補強片と、
前記補強片に組付けられる押圧カバーと、
前記補強片に回動可能に支持される作動アームと
を含んで、前記取外板は絶縁本体を向いている側の押圧カバーの中空部に対応する箇所に凸塊が突設され、該凸塊が電気コネクタに取付けられたＬＧＡチップモジュールに押されることで、取外板が電気コネクタから自動に取り外されることを特徴とする取外板を有した電気コネクタ。
【請求項１０】
前記取外板の凸塊がＬＧＡチップモジュールを押圧することを特徴とする請求項９に記載の取外板を有した電気コネクタ。
【請求項１１】
前記電気コネクタに連接されるＬＧＡチップモジュールには、放熱プレートが設置され、前記押圧カバーが閉鎖される際に、前記取外板の凸塊が該放熱プレートに押圧することを特徴とする請求項１０に記載の取外板を有した電気コネクタ。
【請求項１２】
前記凸塊が取外板の前記押圧カバーの中空部に対応し且つ取外板の端部に近寄る箇所に設けられることを特徴とする請求項１１に記載の取外板を有した電気コネクタ。
【請求項１３】
前記取外板の凸塊は、前記ＬＧＡチップモジュールの放熱プレートを押圧する接触部と傾斜部とを含んでいることを特徴とする請求項１２に記載の取外板を有した電気コネクタ。
【請求項１４】
前記取外板の凸塊は、取外板と一体に形成されることを特徴とする請求項１３に記載の取外板を有した電気コネクタ。
【請求項１５】
前記取外板には、前記押圧カバーに係合される複数のフックが設けられることを特徴とする請求項１４に記載の取外板を有した電気コネクタ。
【発明の詳細な説明】
【技術分野】
【０００１】
本発明は取外板を有した電気コネクタに関し、特に、ＬＧＡチップモジュールと回路基板とを電気的に接続するために用いられる取外板を有した電気コネクタに関するものである。
【背景技術】
【０００２】
関連する従来の技術は、特許文献１と特許文献２を参照すると、お互いに対接電気コネクタに使われる取外板であって、前記取外板は脚部と係合フックとを備え、これらを対接電気コネクタの絶縁本体に係合させ、こうして、電気コネクタを吸引することが実現できる。前記対接電気コネクタの全体の寸法はとても小さく、対応して取外板の寸法も小さいので、実体に接近し、十分な強度を持ち、真空吸盤装置により取外板に力を加える時、割と大きい変形のために空気漏れを生じる恐れがなく、取外操作を順調に行うことに影響することはない。
【０００３】
図１及び図２を参照すれば、ＬＧＡチップモジュール（図示せず）を回路基板（図示せず）に電気的に接続させる電気コネクタ８であって、複数の導電端子を収容している絶縁本体８１と、絶縁本体８１の外部を覆う補強片８４と、該補強片８４の相対する両端にそれぞれ装着される押圧カバー８２及び作動アーム８３とを含んでいる。
【０００４】
前記絶縁本体８１の中央部に導電部を設け、該導電部内に導電端子が収容される。押圧カバー８２及び作動アーム８３によってＬＧＡチップモジュールが前記絶縁本体に固定される。押圧カバー８２は枠体の構造であって、その相対する両側辺は第１側辺８２１と第２側辺８２２であって、該第１側辺８２１と第２側辺８２２を連接する両側辺の中央部には絶縁本体８１に向けて挟み部８２３が突設され、該挟み部８２３は、ＬＧＡチップモジュールが前記絶縁本体８１に取付けられた時、ＬＧＡチップモジュールを押圧し、更に、ＬＧＡチップモジュールが固定される。
【０００５】
電気コネクタ８が加工された後、従来技術の取外板９は、係合フック９１が押圧カバー８２に係合されることによって、電気コネクタ８に装着される。電気コネクタ８が回路基板に取付けられる際、取外板９と電気コネクタ８は真空吸盤装置により吸引された後、回路基板の所定位置に固定され、更に、電気コネクタ８が回路基板に半田付けされる。
【０００６】
電気コネクタ８を回路基板に取付けた後、ＬＧＡチップモジュールが電気コネクタ内に装着されるとともに電気コネクタ８と電気的に導通し、電気コネクタ８の導電端子が回路基板と機械及び電気的に接続されることによって、ＬＧＡチップモジュールが回路基板と電気的に導通される。
【０００７】
しかしながら、電気コネクタ８を回路基板に取付けた後、取外板９が電気コネクタ８にまだ固定されている。だが、ＬＧＡチップモジュールの高速運転により生じた熱量を、放熱効果を有する放熱装置により発散させる必要があるので、先に取外板９を取り外してから、ＬＧＡチップモジュールには放熱に用いられる放熱装置が装着され、こうして、作業の順序が複雑で、同時に操作時間とコストが増える。
【０００８】
そこで、前記従来の電気コネクタの欠点を改良した新型の電気コネクタを開発する必要がある。
【特許文献１】米国特許第５，２４９，９７７号明細書
【特許文献２】米国特許第５，０２６，２５９号明細書
【発明の開示】
【発明が解決しようとする課題】
【０００９】
本発明は、ＬＧＡチップモジュールが電気コネクタに取付けられた後、取外板を電気コネクタから自動的に取り外すことができる取外板を有した電気コネクタを提供することを目的とする。
また、作業の順序が簡略化し、且つコストが減る取外板を有した電気コネクタを提供することをその他の目的とする。
【課題を解決するための手段】
【００１０】
前記目的を達成するために、本発明の取外板を有した電気コネクタは、絶縁本体と、複数の導電端子と、補強片と、押圧カバーと、作動アームとを備える。前記絶縁本体には導電部が設けられ、前記導電端子は絶縁本体内に配設され、前記補強片が絶縁本体の周囲に組付けられる。前記押圧カバーが枠体の構造であって、側辺と該側辺に囲まれる中空部とを備え、前記作動アームが補強片に回動可能に支持される。取外板が電気コネクタに組付けられ、絶縁本体を向く側の押圧カバーの中空部に対応する箇所に凸塊が突設され、該凸塊は電気コネクタに取付けられたＬＧＡチップモジュールに押されることで、取外板が電気コネクタから自動に取り外される。
【発明の効果】
【００１１】
従来の技術に比べると、本発明は以下の長所がある。取外板を電気コネクタから自動に取り外すことができることで、取外板を取り外す作業の順序が省かれる。最後に、前記放熱プレートに外側から接続した放熱装置が設置され、ＬＧＡチップモジュールの運行中に放熱効果が達成できる。
【発明を実施するための最良の形態】
【００１２】
図３〜図６を参照すると、本発明の取外板を有した電気コネクタは、取外板６と電気コネクタ（記号なし）とを含んでいる。前記電気コネクタは、絶縁本体２と、絶縁本体２に装着される複数の導電端子２４と、絶縁本体２を覆っている補強板３と、該補強板３の相対する両端に設置される押圧カバー４及び作動アーム５とを備えている。
【００１３】
前記絶縁本体２は長方形の平板状構造で、複数の端子収容溝２６を含む導電部２０が中央部に形成され、該導電部２０の上方を向く平面は対接面２２である。前記端子収容溝２６内に収容されている複数の導電端子２４は、導電部２０の表面に突出し、ＬＧＡチップモジュール７の導電体（図示せず）と接続し、導電端子２４の他端と回路基板（図示せず）とが電気的に接続し、こうして、ＬＧＡチップモジュール７と回路基板との間に電気的な接続が達成される。また、絶縁本体２の底壁（記号なし）の側辺に凸部２８が設けられる。
【００１４】
ＬＧＡチップモジュール７は、導電端子２４に接触できない側に設置される放熱に用いられる放熱プレート７１と、該放熱プレート７１に外側から接続した放熱装置（図示せず）とにより、ＬＧＡチップモジュール７の正常な運行を保障している。
【００１５】
前記作動アーム５は、細長い金属棒から曲げて形成され、作動部５０と、該作動部５０にほぼ垂直な固着部５２と、作動部５０の末端に設けられた外に向けて曲がる操作部５４と、固着部５２の中間に設けられる加圧部５６とを含んでいる。
【００１６】
前記押圧カバー４は枠体の構造であって、四つの側辺と該四つの側辺から囲まれる中空部４０とを含んでいる。その相対する両側辺は第１側辺４１と第２側辺４２であって、第１側辺４１の中央部にアーク線に沿って合わせ部４１１が曲がって延在し、第２側辺４２に横断面が半円形である係合部４２１が対称的に延在し、両係合部４２１の間に定位部４２２が延在している。押圧カバー４には第１側辺４１と第２側辺４２とを連接して相対する両側辺の中央部から絶縁本体２に向けて挟み部４３が突設されている。使用する時に、該挟み部４３で押圧されるＬＧＡチップモジュール７は、導電端子２４と電気的に接続される。
【００１７】
前記補強板３は、四つのお互いに連接している側辺（記号なし）とその側辺から上方に向けて延在した側壁とを備えている。取付けた際に、押圧カバー４の第２側辺４２に対応する第１側壁３０に一対の凹部３０２が設けられ、該凹部３０２が押圧カバー４の係合部４２１に係止されることによって、押圧カバー４が補強板３に回動可能に支持されている。前記第１側辺４１に相対する第２側壁３２に一対の係止片３２２が曲がり延在し、該係止片３２２の一端に固定片３２４が設けられる。
【００１８】
前記係止片３２２と、固定片３２４と、補強板３の第１側壁３１及び第２側壁を連接する両側壁（記号なし）の末端とによって、前記作動アーム５が補強板３の第２側壁３２に回動可能に支持される。前記両側壁の一方に作動アーム５が係り止められる係合片３４が設けられる。前記補強板３は、第１側壁３０と第２側壁３２とに在る側辺に絶縁本体２の凸部２８に係合される凹口３６が設けられる。
【００１９】
前記取外板６は、押圧カバー４の大きさとほぼ同じ矩形の平板状構造であって、その中央部（記号なし）に真空吸盤装置（図示せず）が操作を行うために滑らかで平らな吸取平面６０が設けられ、その回り（記号なし）に複数の貫通孔６４が設けられる。取外板６において、前記押圧カバー４の第１側辺４１に対応する第１端部６１には、押圧カバー４を向く面の両端に一対のお互いに離れる第１フック６５が設けられ、前記押圧カバー４の第２側辺４２に対応する第２端部６２には、中央部に一対のお互いに近寄る第２フック６６と、その両端に押圧カバー４に干渉して係止する一対の位置決め塊６９とが設けられる。
【００２０】
前記取外板６において、前記第１端部６１と第２端部６２を除いて相対する側辺（記号なし）には、押圧カバー４に向けて延在し、且つ前記押圧カバー４の挟み部４３に対応する弓形の合わせブロック６７が突設される。該合わせブロック６７の支持作用により、真空吸盤装置が取外板６の吸取平面６０に加圧する時、取外板６が圧砕することが防止できる。
【００２１】
前記取外板６において、前記第１端部６１に近寄り、且つ押圧カバー４の中空部４０に対応する箇所には、前記押圧カバー４及び絶縁本体２の方向に向けて一対の凸塊６８が突設される。取外板６を押圧カバー４に係合させる時に、該凸塊６８が押圧カバー４から突出してＬＧＡチップモジュール７の放熱プレート７１を押圧する。
【００２２】
前記凸塊６８は、取外板６と一体的に形成され、ＬＧＡチップモジュール７の放熱プレート７１を押圧する弧形の接触部６８０と傾斜部６８２とを含んで、弧形の接触部６８０はその放熱プレート７１が損傷することを防止できる。該凸塊６８は押圧カバー４の中空部４０に対応する箇所の任意の位置に設けられてもいい。該凸塊６８を半円形やアーチ形や半球形などにすれば、前記の効果が達成できるので、再度述べない。
【００２３】
取付けた際に、前記押圧カバー４と作動アーム５は補強片３の第１側壁３０及び第２側壁３２にそれぞれ回動可能に保持される。前記押圧カバー４が開放された際に、絶縁本体２は、底壁の凸部２８が補強片３の凹口３６に係合することにより、補強片３内に装着され、同時に絶縁本体２の周囲が補強片３の側壁に取り囲まれる。
【００２４】
使用する時に、取外板６が電気コネクタに組み合わせられ、取外板６の第１フック６５及び第２フック６６が押圧カバー４にそれぞれ係合されている。真空吸盤装置が取外板６と電気コネクタとを同時に吸引し、回路基板の規定の箇所に置き、更に、電気コネクタを回路基板に半田付けている。
【００２５】
それから、押圧カバー４を開放して、ＬＧＡチップモジュール７が電気コネクタの絶縁本体２に装着されてから、前記押圧カバー４を閉鎖し、次に、作動アーム５が垂直位置つまり開放位置から水平位置つまり閉鎖位置に至り回動し、作動アーム５の加圧部５６が押圧カバー４の合わせ部４１１を押圧する。この場合に、取外板６は、凸塊６８がＬＧＡチップモジュール７の放熱プレート７１を押圧することにより、弾性変形を生じる。また、押圧カバー４が取外板６の弾性反力を受けることで、前記第１フック６５及び第２フック６６を押圧カバー４から離脱させ、こうして、取外板６を電気コネクタから自動に取り外す効果を達成できる。そこで、取外板６を取り外す作業の順序が省かれる。最後に、前記放熱プレート７１に外側から接続した放熱装置が設置され、ＬＧＡチップモジュール７の運行中に放熱効果が達成できる。
【００２６】
以上本発明についてよい実施の形態を参照して詳細に説明したが、実施形態はあくまでも例示的なものであり、これらに限定されるものではない。また前記の説明は、本発明に基づきなしうる細部の修正或は変更など、いずれも本発明の請求範囲に属するものとする。
【産業上の利用可能性】
【００２７】
本発明は、取外板を有した電気コネクタに関し、特にＬＧＡチップモジュールと回路基板とを電気的に接続するために用いられる取外板を有した電気コネクタに関するものである。
【図面の簡単な説明】
【００２８】
【図１】従来例に係る取外板の斜視図である。
【図２】従来例に係る取外板を有した電気コネクタの側面図である。
【図３】本発明に係る取外板を有した電気コネクタの分解斜視図である。
【図４】本発明に係る取外板を有した電気コネクタの取外板の斜視図である。
【図５】本発明に係る取外板を有した電気コネクタの開放位置に在る斜視図である。
【図６】本発明に係る取外板を有した電気コネクタの閉鎖位置に在る部分の断面図である。
【符号の説明】
【００２９】
２、８１  絶縁本体
３、８４  補強片
４、８２  押圧カバー
５、８３  作動アーム
６、９  取外板
７  ＬＧＡチップモジュール
２０  導電部
２２  対接面
２４  導電端子
２６  端子収容溝
２８  凸部
３０  第１側壁
３２  第２側壁
３４  係合片
３６  凹口
４０  中空部
４１、８２１  第１側辺
４２、８２２  第２側辺
４３、８２３  挟み部
５０  作動部
５２  固着部
５４  操作部
５６  加圧部
６０  吸取平面
６１  第１端部
６２  第２端部
６４  貫通孔
６５  第１フック
６６  第２フック
６７  合わせブロック
６８  凸塊
６９  位置決め塊
７１  放熱プレート
９１  係合フック
３０２  凹部
３２２  係止片
３２４  固定片
４１１  合わせ部
４２１  係合部
４２２  定位部
６８０  接触部
６８２  傾斜部
【図１】
2005174912.tif 000003
【図２】
2005174912.tif 000004
【図３】
2005174912.tif 000005
【図４】
2005174912.tif 000006
【図５】
2005174912.tif 000007
【図６】
2005174912.tif 000008